(57)【要約】      （修正有）【課題】安価にて製造可能な消臭機能を有する靴下を提供する。【解決手段】着用者の足の甲に当接する足甲当接部２と、着用者の足の裏に当接する足裏当接部３と、着用者の足の爪先に当接する爪先当接部４と、着用者の足の踵に当接する踵当接部５とを具備する。足裏当接部３と爪先当接部４と踵当接部５の内の少なくとも一つを、足甲当接部２よりも消臭性の機能を有する機能性素材にて構成する。【選択図】図２
0003170949.tif 000002
【実用新案登録請求の範囲】
【請求項１】
着用者の足の甲に当接する足甲当接部と、
前記着用者の足の裏に当接する足裏当接部と、
前記着用者の足の爪先に当接する爪先当接部と、
前記着用者の足の踵に当接する踵当接部とを具備する靴下において、
前記足裏当接部と前記爪先当接部と前記踵当接部の内の少なくとも一つを、前記足甲当接部よりも消臭性の機能を有する機能性素材にて構成したことを特徴とする靴下。
【請求項２】
前記足裏当接部と前記爪先当接部と前記踵当接部とを、前記足甲当接部よりも消臭性の機能を有する機能性素材にて構成したことを特徴とする請求項１に記載の靴下。
【請求項３】
前記爪先当接部と前記踵当接部とを、前記足甲当接部と前記足裏当接部よりも消臭性の機能を有する機能性素材にて構成したことを特徴とする請求項１に記載の靴下。
【請求項４】
前記足裏当接部と前記爪先当接部と前記踵当接部の内の少なくとも一つを、前記消臭性の機能を有する機能性素材を用いて、前記足甲当接部よりも強度を有する構成としたことを特徴とする請求項１乃至３のいずれかに記載の靴下。
【請求項５】
前記爪先当接部と前記踵当接部とを、前記消臭性の機能を有する機能性素材を用いて、前記足甲当接部よりも強度を有する構成としたことを特徴とする請求項４に記載の靴下。
【請求項６】
前記足甲当接部を構成する糸に、前記消臭性の機能を有する機能性素材である糸を加えた糸にて、前記足裏当接部と前記爪先当接部と前記踵当接部の内の少なくとも一つを構成し、前記足甲当接部よりも強度を有する構成としたことを特徴とする請求項４または５のいずれかに記載の靴下。
【考案の詳細な説明】
【技術分野】
【０００１】
本考案は、消臭機能を有する靴下に関するものである。
【背景技術】
【０００２】
従来、着用によって発生する悪臭を防止するために消臭機能を付加した靴下がある。例えば、消臭機能を有する繊維にて靴下全体を編み上げたものがある。また、消臭機能を有しない靴下を製造した後に、靴下全体に消臭加工を施す場合もある。
（例えば、特許文献１を参照）。
【先行技術文献】
【特許文献】
【０００３】
【特許文献１】特許第２８４４１０５号公報
【考案の概要】
【考案が解決しようとする課題】
【０００４】
しかし、消臭機能を有する繊維は消臭機能を有しない繊維に比して高価であることが多い。よって、消臭機能を有する繊維にて製造された靴下は高価にならざるを得なかった。更に、通常の繊維にて編み上げた後に、靴下全体に消臭加工を施したものは、経時変化により消臭機能の耐久性に問題が発生するものもあった。
【課題を解決するための手段】
【０００５】
そこで、本考案は、着用者の足の甲に当接する足甲当接部と、前記着用者の足の裏に当接する足裏当接部と、前記着用者の足の爪先に当接する爪先当接部と、前記着用者の足の踵に当接する踵当接部とを具備する靴下において、前記足裏当接部と前記爪先当接部と前記踵当接部の内の少なくとも一つを、前記足甲当接部よりも消臭性の機能を有する機能性素材にて構成したことを特徴とする。
【０００６】
このように、足の裏などの悪臭の発生しやすい箇所のみに、特に消臭性の機能を有する機能性素材を用いることにより、靴下全体に機能性素材を用いる場合と比して、費用のかかる機能性素材の使用量を減らすことが可能となる。よって、安価な費用にて消臭機能を有する靴下を実現することができる。
【０００７】
更に、消臭性の機能を増すためには、前記足裏当接部と前記爪先当接部と前記踵当接部とを、前記足甲当接部よりも消臭性の機能を有する機能性素材にて構成することが望ましい。
【０００８】
また、前記爪先当接部と前記踵当接部とを、前記足甲当接部と前記足裏当接部よりも消臭性の機能を有する機能性素材にて構成することにより、費用がかかる機能性素材の使用を更に減少させて安価に製造することができる。
【０００９】
加えて、前記足裏当接部と前記爪先当接部と前記踵当接部の内の少なくとも一つを、前記消臭性の機能を有する機能性素材を用いて、前記足甲当接部よりも強度を有する構成としてもよい。これにより、悪臭の問題を解決しながら、破れやすい箇所を補強することも可能となる。つまり、前記機能性素材にて悪臭及び破損の問題を同時に解決することができる。
【００１０】
更に、特に破損しやすい箇所を補強するためには、前記爪先当接部と前記踵当接部とを、前記消臭性の機能を有する機能性素材を用いて、前記足甲当接部よりも強度を有する構成とすることが望ましい。
【００１１】
また、簡易な構成にて前記機能性素材を補強に用いるためには、前記足甲当接部を構成する糸に、前記消臭性の機能を有する機能性素材である糸を加えた糸にて、前記足裏当接部と前記爪先当接部と前記踵当接部の内の少なくとも一つを構成し、前記足甲当接部よりも強度を有する構成とする。
【考案の効果】
【００１２】
足の裏などの悪臭の発生しやすい箇所のみに、特に消臭性の機能を有する機能性素材を用いることにより、靴下全体に機能性素材を用いる場合と比して、費用のかかる機能性素材の使用量を減らすことが可能となる。よって、安価な費用にて消臭機能を有する靴下を実現することができる。
【図面の簡単な説明】
【００１３】
【図１】本考案の第一実施形態に係る靴下の側面図。
【図２】同実施形態に係る靴下の概略側面図。
【図３】本考案の第二実施形態に係る靴下の概略側面図。
【図４】本考案の第三実施形態に係る靴下の概略側面図。
【考案を実施するための形態】
【００１４】
本考案の実施形態について、図を参照して説明する。図１は、本考案に係る靴下Ａである。図２は、消臭機能を有する部位を表した概略側面図である。
【００１５】
本考案の第一実施形態に係る靴下Ａは、図１乃至図２に示すように、着用者が靴下Ａを履く際に利用する履き口部１と、前記着用者の足の甲に当接する足甲当接部２と、前記着用者の足の裏に当接する足裏当接部３と、前記着用者の足の爪先に当接する爪先当接部４と、前記着用者の足の踵に当接する踵当接部５とを具備する。当該靴下Ａは、繊維である糸を編成したり縫合したりすることにより上記各部を構成している。
【００１６】
本実施形態においては、前記足裏当接部３と前記爪先当接部４と前記踵当接部５とを、前記足甲当接部２よりも消臭性の機能を有する機能性素材にて構成している。また、前記消臭性の機能を有する機能性素材を用いて、前記足裏当接部３と前記爪先当接部４と前記踵当接部５が、前記足甲当接部２よりも強度を有する構成としている。尚、前記足裏当接部３と前記爪先当接部４と前記踵当接部５は、着用時において靴の底部に当接し、靴の底部と着用者の足との間に位置する。
【００１７】
以下、上記各部の構成について詳述する。
【００１８】
前記履き口部１は、前記着用者の足を挿脱可能とするように上方に向けて開口している。また、上部には、伸縮性を有するゴム口１ａを有する。このゴム口１ａは、靴下Ａの着脱を容易とすると共に、靴下Ａがずり落ちないように付勢している。
【００１９】
前記足甲当接部２は、前記履き口部１の前方下端から連続して編成されており、着用時には着用者の足の甲に当接し当該足の甲を覆う。当該足甲当接部２と前記履き口部１は、ポリエステル糸とポリエステル綿糸の混紡糸にて編成されている。当該足甲当接部２と前記履き口部１を構成する混紡糸には、消臭加工を施していない。
【００２０】
前記足裏当接部３は、前記足甲当接部２と対向する位置に前記踵当接部５から連続して編成されている。着用時には着用者の足の裏に当接し当該足の裏を覆う。
【００２１】
前記爪先当接部４は、前記足甲当接部２や足裏当接部３から連続して編成されている。着用時に着用者の爪先に当接し当該爪先を覆う。
【００２２】
前記踵当接部５は、前記履き口部１の後方下端から連続して編成されている。着用時には着用者の踵に当接し当該踵を覆う。
【００２３】
当該踵当接部５と前記爪先当接部４と前記足裏当接部３は、機能性素材となる消臭加工を施したポリエステルウーリー糸を表糸として編みこんで構成している。当該機能性素材の糸を表糸とすることにより、足に当接する面を機能性素材にて形成し、前記踵当接部５と前記爪先当接部４と前記足裏当接部３のみに消臭機能を付加している。
【００２４】
機能性素材としては、ポリエステルウーリー糸にイオン加工を施して消臭機能を付加した糸を用いている。本実施形態においては、銀をイオンサイズまで微細化し、水に溶け込ませた銀イオンにポリエステルウーリー糸を浸水させて消臭機能を持たせている。
【００２５】
また、本実施形態においては、前記消臭性の機能を有する機能性素材を、前記足甲当接部２よりも補強性の機能を有する機能性素材として利用している。具体的には、前記足甲当接部２を構成する表糸に、前記消臭性の機能を有する機能性素材であるポリエステルウーリー糸を加えた糸にて前記足裏当接部３と前記爪先当接部４と前記踵当接部５を構成し、前記足甲当接部２よりも強度を有する構成としている。本実施形態においては、前記機能素材であるポリエステルウーリー糸を、前記足甲当接部２を構成している表糸に加えて撚りをかけることにより、前記足裏当接部３と前記爪先当接部４と前記踵当接部５を編成する表糸としている。表糸として、消臭機能を有するポリエステルウーリー糸を前記足甲当接部２を編成している糸に追加することで表糸の強度が増し、前記足裏当接部３と前記爪先当接部４と前記踵当接部５とを補強している。よって、当該機能性素材は、消臭性と補強性の機能を兼ねる。つまり、前記消臭性の機能を有する機能性素材にて、前記足裏当接部３と前記爪先当接部４と前記踵当接部５を、前記足甲当接部２よりも強度を有する構成としている。
【００２６】
更に、前記足甲当接部２を構成した糸と前記機能性素材とを、同系の素材であるポリエステル系の素材としている。これにより、染色の際に色むらが生じにくくなる。
【００２７】
以上のように、足の裏などの悪臭の発生しやすい箇所のみに、特に消臭性の機能を有する機能性素材を用いたことにより、靴下Ａ全体に機能性素材を用いる場合と比して、費用のかかる機能性素材の使用量を減らすことが可能となる。よって、安価な費用にて消臭機能を有する靴下Ａを実現することができる。
【００２８】
更に、前記足裏当接部３と前記爪先当接部４と前記踵当接部５とを、前記足甲当接部２よりも消臭性の機能を有する機能性素材にて構成しているため、十分な消臭機能を期待できる。
【００２９】
加えて、前記足裏当接部３と前記爪先当接部４と前記踵当接部５を、前記消臭性の機能を有する機能性素材を用いて、前記足甲当接部２よりも強度を有する構成としている。これにより、悪臭の問題を解決しながら、破れやすい箇所を補強することも可能となる。つまり、前記機能性素材にて悪臭及び破損の問題を同時に解決することができる。
【００３０】
また、前記足甲当接部２を構成する糸に、前記消臭性の機能を有する機能性素材である糸を加えた糸にて、前記足裏当接部３と前記爪先当接部４と前記踵当接部５を構成し、前記足甲当接部２よりも強度を有する構成としているため、簡易な構成にて前記機能性素材を補強に用いることができる。
【００３１】
なお、本考案は、以上に詳述した実施形態に限られるものではない。
【００３２】
例えば、図３に示す第二実施形態のように、前記爪先当接部４と前記踵当接部５のみに消臭機能を付加してもよい。尚、第一実施形態と同様の部位には、同一の符号を付している。具体的には、前記足甲当接部２と前記足裏当接部３とを消臭機能を有しない糸にて編成する。更に、前記足甲当接部２と前記足裏当接部３とを編成した糸に、前記第一実施形態と同様に消臭機能を付加した前記ポリエステルウーリー糸を加えて、前記爪先当接部４と前記踵当接部５とを編成する。よって、前記爪先当接部４と前記踵当接部５とは、前記足甲当接部２と前記足裏当接部３よりも消臭性の機能を有する機能性素材にて構成される。これにより、前記爪先当接部４と前記踵当接部５は、他の部位よりも消臭機能を有すると共に補強される。
【００３３】
このように、前記爪先当接部４と前記踵当接部５とを、前記足甲当接部２と前記足裏当接部３よりも消臭性の機能を有する機能性素材にて構成することにより、費用がかかる機能性素材の使用を更に減少させて安価に製造することができる。更に、前記爪先当接部４と前記踵当接部５とを、前記消臭性の機能を有する機能性素材を用いて、前記足甲当接部２よりも強度を有する構成としているため、特に破損しやすい箇所である踵や爪先を補強することが可能となる。
【００３４】
更には、前記足裏当接部３と前記爪先当接部４と前記踵当接部５の内の少なくともいずれか一つを、前記足甲当接部２よりも消臭性の機能を有する機能性素材にて構成してもよい。つまり、前記爪先当接部４のみ、前記踵当接部５のみ、または前記足裏当接部３のみに前記消臭機能を有するポリエステルウーリー糸を利用して他の部位よりも消臭機能及び補強機能を向上させても良い。
【００３５】
また、図４に示す第三実施形態のように、着用時に足首などに当接する足首当接部６を有する靴下Ａなどにも適用可能である。具体的には、前記着用者の足首などに当接する足首当接部６と、前記着用者が靴下Ａを履く際に利用する履き口部１と、前記着用者の足の甲に当接する足甲当接部２と、前記着用者の足の裏に当接する足裏当接部３と、前記着用者の足の爪先に当接する爪先当接部４と、前記着用者の足の踵に当接する踵当接部５とを具備する。当該靴下Ａは、繊維を編成や縫合することにより上記各部を構成している。前記足首当接部６は、前記履き口部１と前記足甲当接部２との間に設けている。尚、第一実施形態と同様の部位には、同一の符号を付している。前記足首当接部６は、着用時にふくらはぎ等にも当接する長さにするなど長さを変えても良い。つまり、ハイソックスなどでも良い。
【００３６】
第三実施形態においては、前記足首当接部６と前記足甲当接部２とを消臭機能を有しない糸にて編成する。更に、前記第一実施形態と同様に、前記足甲当接部２を編成した糸に、消臭機能を付加した前記ポリエステルウーリー糸を加えて、前記足裏当接部３と、前記爪先当接部４と前記踵当接部５とを編成する。よって、前記足裏当接部３と前記爪先当接部４と前記踵当接部５とは、前記足首当接部６と前記足甲当接部２よりも消臭性の機能を有する機能性素材にて構成される。これにより、前記足裏当接部３と前記爪先当接部４と前記踵当接部５は、他の部位よりも消臭機能を有すると共に補強される。
【００３７】
加えて、機能性素材とは、靴下Ａを編成や縫製する前の素材も、靴下Ａを編成や縫製した後に機能を付加したものも含まれる。具体的には、消臭性の機能を有さない素材にて靴下Ａを編成などした後に、機能性素材とする箇所に消臭加工を施したものでも良い。
【００３８】
また、本実施形態のような合成素材に限らず、天然素材を用いても良い。更には、機能性素材を不職布にて構成することも考えられる。
【００３９】
その他、各部の具体的構成についても上記実施形態に限られるものではなく、本考案の趣旨を逸脱しない範囲で種々変形が可能である。
【符号の説明】
【００４０】
Ａ・・・靴下
２・・・足甲当接部
３・・・足裏当接部
４・・・爪先当接部
５・・・踵当接部
【図１】
0003170949.tif 000003
【図２】
0003170949.tif 000004
【図３】
0003170949.tif 000005
【図４】
0003170949.tif 000006